(57)【要約】【課題】簡易な設置でき、かつ、遠くからでも電気柵の動作電圧を極めて容易にチェックすることができる電気柵用動作電圧チェックライトを提供する。【解決手段】電気柵用動作電圧チェックライト１は、屋外に架設された電気柵４１を狭持して電気柵４１と電気的に接触可能な第１ミノムシクリップ１１と、第１ミノムシクリップ１１の接続され、電気柵４１の動作電圧に応じて発光する蛍光灯１７と、蛍光灯１７の他方の端子に接続されて蛍光灯１７を接地するための第２ミノムシクリップ２５と、を備えている。これによれば、遠くからでも蛍光灯１７の発光状態を一目で確認できる。よって、電気柵４１の動作電圧を容易に監視することができる。また、電気柵用動作電圧チェックライト１は簡易な構成であるため、設置、取り扱いが容易であり、かつ、安価に製造することができる。【選択図】図２
2009014583.tif 000002
【特許請求の範囲】
【請求項１】
電気柵の動作電圧を監視する電気柵用動作電圧チェックライトにおいて、
屋外に架設された前記電気柵を狭持して前記電気柵と電気的に接触可能な第１クリップ部材と、
前記第１クリップ部材に、一方の端子が接続されて前記電気柵の動作電圧に応じて発光する蛍光灯と、
前記蛍光灯の他方の端子に接続されて前記蛍光灯を接地するための第２クリップ部材と、
を備えていることを特徴とする電気柵用動作電圧チェックライト。
【請求項２】
請求項１に記載の電気柵用動作電圧チェックライトにおいて、
前記第１クリップ部材と前記第２クリップ部材との間に、前記蛍光灯と直列に接続される抵抗器を備えていることを特徴とする電気柵用動作電圧チェックライト。
【請求項３】
請求項２に記載の電気柵用動作電圧チェックライトにおいて、
前記抵抗器は複数であり、各抵抗器は互いに直列に接続されていることを特徴とする電気柵用動作電圧チェックライト。
【請求項４】
請求項３に記載の電気柵用動作電圧チェックライトにおいて、
前記抵抗器は前記蛍光灯の一方および他方の端子近傍にそれぞれ配置されていることを特徴とする電気柵用動作電圧チェックライト。
【請求項５】
請求項４に記載の電気柵用動作電圧チェックライトにおいて、
前記蛍光灯の一方の端子とこの端子近傍に設けられる前記抵抗器とを覆う第１キャップと、
前記蛍光灯の他方の端子とこの端子近傍に設けられる前記抵抗器とを覆う第２キャップと、
を備えていることを特徴とする電気柵用動作電圧チェックライト。  
【請求項６】
請求項５に記載の電気柵用動作電圧チェックライトにおいて、
前記第１キャップおよび前記第２キャップはそれぞれ前記端子と前記抵抗器の周囲を密閉することを特徴とする電気柵用動作電圧チェックライト。
【請求項７】
請求項１から請求項６のいずれかに記載の電気柵用動作電圧チェックライトにおいて、
前記蛍光灯を保持するための保持手段を備えていることを特徴とする電気柵用動作電圧チェックライト。
【発明の詳細な説明】
【技術分野】
【０００１】
この発明は、電気柵用動作電圧チェックライトに係り、特に、蛍光灯を用いて簡易に電気柵の動作電圧を監視する技術に関する。
【背景技術】
【０００２】
従来、家畜等を所定の範囲内で放牧・飼育するためや、鳥獣（猪・鹿・猿等）が田畑に侵入することで農作物が被害を受けることを防止するために電気柵が使用されている。電気柵は裸電線などで構成されており、適当な間隔をおいて設置される支柱間に架設される。この電気柵には電源装置が接続されている。電源装置は電気柵に直流高電圧を間欠的に印加する。よって、電気柵に動物が触れると動物は電撃を受ける。これにより、電気柵で区画される範囲内で動物を管理したり、電気柵で区画される範囲に動物が侵入することを防止する（例えば、特許文献１参照）。
【０００３】
このような電気柵は支柱の導電部や、周囲の草木と接触することで地絡・短絡を起こすことが多い。また、電源装置が電池で駆動する場合は、電池が寿命に近づくとともに出力電圧が低下する。これらの場合、電気柵の動作電圧が低下し、動物に有効な電撃を与えることができなくなる。このため、電源装置には出力電圧に応じて発光するネオン管やＬＥＤが設けられて、電気柵が正常に動作しているか否かを判別できるように構成されている。
【０００４】
【特許文献１】特開昭６１−１３９２１８号公報
【発明の開示】
【発明が解決しようとする課題】
【０００５】
しかしながら、このような構成を有する従来例の場合には、次のような問題がある。
すなわち、従来の装置は、電源装置の手元でなければ電気柵の動作状況を確認できないので保守・点検が煩わしいという不都合がある。また、検電器やテスターによる場合でも、電気柵が架設されている場所まで行って電気柵の動作電圧を確認することなり、同様に保守・点検が煩わしいという不都合がある。特に、検電器等による確認は高電圧が印加された電気柵に検電器等を直接接触させるため、感電するおそれのある危険な作業となるという不都合がある。特に、電気柵の設置を含めて保守・点検は、電気柵や電源装置を購入したユーザーに委ねられているため、電気柵が正常に動作していることを的確に監視できているケースは少ない。
【０００６】
この発明は、このような事情に鑑みてなされたものであって、簡易に設置でき、かつ、遠くからでも電気柵の動作電圧を極めて容易にチェックすることができる電気柵用動作電圧チェックライトを提供することを目的とする。
【課題を解決するための手段】
【０００７】
この発明は、このような目的を達成するために、次のような構成をとる。
すなわち、請求項１に記載の発明は、電気柵の動作電圧を監視する電気柵用動作電圧チェックライトにおいて、屋外に架設された前記電気柵を狭持して前記電気柵と電気的に接触可能な第１クリップ部材と、前記第１クリップ部材に、一方の端子が接続されて前記電気柵の動作電圧に応じて発光する蛍光灯と、前記蛍光灯の他方の端子に接続されて前記蛍光灯を接地するための第２クリップ部材と、を備えていることを特徴とするものである。
【０００８】
［作用・効果］請求項１に記載の発明によれば、蛍光灯を備えているので、遠くからでも蛍光灯の発光状態を一目で確認できる。よって、電気柵の動作電圧を容易に監視することができる。また、電気柵を狭持するための第１クリップ部材を備えているので、簡単に電気柵と蛍光灯とを電気的に接続できる。同様に、第２クリップ部材を備えているので蛍光灯を容易に接地することができる。このような電気柵用動作電圧チェックライトによれば、極めて簡易な構成とすることができ、安価に製造することができる。また、この電気柵用動作電圧チェックライトによれば、簡易に設置することができる。
【０００９】
この発明において、前記第１クリップ部材と前記第２クリップ部材との間に、前記蛍光灯と直列に接続される抵抗器を備えていることが好ましい（請求項２）。電気柵の電圧を好適に分圧することができるので、適切な電圧を蛍光灯に印加することができる。
【００１０】
また、上述した発明において、前記抵抗器は複数であり、各抵抗器は互いに直列に接続されていることが好ましい（請求項３）。各抵抗器の両端にかかる電圧をそれぞれ低減することができる。これにより、抵抗器が破損することを防止できる。
【００１１】
また、上述した発明において、前記抵抗器は前記蛍光灯の一方および他方の端子近傍にそれぞれ配置されていることが好ましい（請求項４）。複数の抵抗器を分散して配置することができる。
【００１２】
また、上述した発明において、前記蛍光灯の一方の端子とこの端子近傍に設けられる前記抵抗器とを覆う第１キャップと、前記蛍光灯の他方の端子とこの端子近傍に設けられる前記抵抗器とを覆う第２キャップと、を備えていることが好ましい（請求項５）。第１、第２キャップを備えることで、蛍光灯の端子の接続部位および抵抗器の接続部位を保護することができる。
【００１３】
また、上述した発明において、前記第１キャップおよび前記第２キャップはそれぞれ前記端子と前記抵抗器の周囲を密閉することが好ましい（請求項６）。蛍光灯の端子や抵抗器を保護することができる。特に、抵抗器の表面が樹脂で覆われることにより、抵抗器が破損することを確実に防止できる。
【００１４】
また、上述した発明において、前記蛍光灯を保持するための保持手段を備えていることが好ましい（請求項７）。保持手段を備えているので、蛍光灯を電気柵に吊り下げ保持することで簡易に取り付けることができる。
【００１５】
なお、本明細書は、次のような電気柵用動作電圧チェックライトに係る発明も開示している。
【００１６】
（１）請求項１から請求項７のいずれかに記載の電気柵用動作電圧チェックライトにおいて、前記第１クリップ部材はミノムシクリップであることを特徴とする電気柵用動作電圧チェックライト。
【００１７】
前記（１）に記載の発明によれば、汎用されているミノムシクリップを用いることで、極めて安価に構成することができる。
【００１８】
（２）請求項１から請求項７のいずれかに記載の電気柵用動作電圧チェックライトにおいて、前記第２クリップ部材はミノムシクリップであることを特徴とする電気柵用動作電圧チェックライト。
【００１９】
前記（２）に記載の発明によれば、汎用されているミノムシクリップを用いることで、極めて安価に構成することができる。
【発明の効果】
【００２０】
この発明に係る電気柵用動作電圧チェックライトによれば、蛍光灯を備えているので、遠くからでも蛍光灯の発光状態を一目で確認できる。よって、電気柵の動作電圧を容易に監視することができる。また、電気柵を狭持するための第１クリップ部材を備えているので、簡単に電気柵と蛍光灯とを電気的に接続できる。同様に、第２クリップ部材を備えているので蛍光灯を容易に接地することができる。このような電気柵用動作電圧チェックライトによれば、極めて簡易な構成とすることができ、安価に製造することができる。また、この電気柵用動作電圧チェックライトによれば、簡易に設置することができる。
【発明を実施するための最良の形態】
【００２１】
以下、図面を参照してこの発明の実施例を説明する。
図１は、実施例に係る電気柵用動作電圧チェックライトの構成を示す図であり、図２は電気柵用動作電圧チェックライトの使用状態を示す図であり、図３は電気柵用動作電圧チェックライトの点灯回路図である。
【００２２】
電気柵用動作電圧チェックライト１は、屋外に架設された電気柵４１を狭持可能な第１ミノムシクリップ１１を備えている。第１ミノムシクリップ１１にはリード線１３の一端が接続されている。リード線１３の他端は抵抗器１５に接続されている。リード線１３と抵抗器１５との接続は、半田付けまたは圧着端子等による。抵抗器１５は蛍光灯１７の一方側の端子１８に接続されている。ここで、蛍光灯１７には通常２本の端子１８が突出しているが、いずれか一方の端子１８のみに抵抗器１５を接続すればよい。この端子１８と抵抗器１５とは圧着端子で接続することが好ましい。ただし、半田付けでもよい。ここで、第１ミノムシクリップ１１はこの発明における第１クリップ部材に相当する。
【００２３】
蛍光灯１７は直管型である。蛍光灯１７の他端側の端子１９にも抵抗器２１が接続されている。抵抗器２１にはリード線２３の一端が接続されている。リード線２３の他端には最寄の接地電位点に接触させるための第２ミノムシクリップ２５が接続されている。ここで、第２ミノムシクリップ２５はこの発明における第２クリップ部材に相当する。
【００２４】
蛍光灯１７の両端には、それぞれ端子１８、１９と抵抗器１５、２１を収容する筒体２７、２８が取り付けられている。筒体２７、２８は絶縁性および対候性を有する材質であることが好ましい。例えば、筒体２７、２８を塩化ビニル製の配管材で構成してもよい。筒体２７、２８の端口には、貫通孔が形成された防水ゴムカバー２９、３０が嵌め込まれている。この貫通孔には、リード線１３、２３が挿通されたリング状のリード線保護ゴム３１、３２が若干圧縮変形した状態で取り付けられている。これにより、リード線保護ゴム３１、３２は、それぞれリード線１３、２３に密着した状態で防水ゴムカバー２９、３０の各貫通孔を塞ぐ。これにより、筒体２７と防水ゴムカバー２９とリード線保護ゴム３１は、端子１８および抵抗器１５の周囲の空間を密閉して、外部から湿気や水が浸入することを防止する。同様に、筒体２８と防水ゴムカバー３０とリード線保護ゴム３２は、端子１９および抵抗器２１の周囲の空間を密閉して、外部から湿気や水が浸入することを防止する。さらに、リード線保護ゴム３１、３２はそれぞれリード線１３、２３が貫通部で屈曲して被覆が損傷することを防止する。ここで、筒体２７と防水ゴムカバー２９とリード線保護ゴム３１は、この発明における第１キャップに相当する。また、筒体２８と防水ゴムカバー３０とリード線保護ゴム３２は、この発明における第２キャップに相当する。
【００２５】
また、蛍光灯の両側には２つのフック３３が掛けられている。フック３３の材質は絶縁性と対候性を有することが好ましく、たとえば、樹脂等が例示される。フック３３は、この発明における保持手段に相当する。
【００２６】
蛍光灯のワット数は適宜に選択可能である。なお、蛍光灯が２０Ｗの場合、１００ｍから２００ｍほど離れた位置からでも容易に視認することができる。このとき、抵抗器１５、２１の合成抵抗としては、２００ｋΩから３００ｋΩが好ましい。よって、抵抗器１５、２１はそれぞれ１００ｋΩから１５０ｋΩであることが好ましい。
【００２７】
次に、実施例に係る電気柵用動作電圧チェックライト１の設置と動作について説明する。
【００２８】
裸電線で構成される電気柵４１は、適当な間隔を置いて設けられる支柱４３間に張設されている。支柱４３は金属製であり、その下部は地面に埋設されている。よって、支柱４３は略接地電位である。支柱４３には電気柵４１と支柱４３とを絶縁するための碍子４５が設けられている。
【００２９】
電気柵４１の一端は、電源装置４７に接続されている。電源装置４７は商用電力（例えば、ＡＣ１００Ｖ）で稼動する。電源装置４７は内部に高電圧発生回路４９を備えている。高電圧発生回路４９は、商用電源を直流に変換するとともに昇圧等してパルス状の高電圧を発生する。高電圧発生回路４９によって得られる電圧は例えば３０００Ｖ〜９０００Ｖである。
【００３０】
まず、電源装置４７が高電圧を出力していない状態で、電気柵４１を第１ミノムシクリップ１１で狭持して電気的に接触させる。また、第２ミノムシクリップ２５で支柱４３を狭持する。さらに、蛍光灯１７を保持したフック３３を電気柵４１に掛ける。これにより、蛍光灯１７は略水平な姿勢で電気柵４１に吊り下げ支持される。
【００３１】
次に、電源装置４７から高電圧を出力させる。これにより、電気柵４１に高電圧が印加される。よって、第１ミノムシクリップ１１を介して抵抗器１５、蛍光灯１７、抵抗器２１がこの順番で直列に接続された回路にも高電圧が印加される。抵抗器１５、２１が高電圧を分圧することで、蛍光灯１７の両端の端子１８、１９間には所望の電位差が生じる。この結果、蛍光灯１７が発光する。なお、電気柵４１には高電圧が間欠的に印加されるので、蛍光灯１７は点滅発光する。蛍光灯１７で発光した光は遠くまで達する。よって、ユーザーは蛍光灯１７から比較的離れた場所からでも、蛍光灯１７の発光状態を視認できる。これにより、電気柵４１の動作電圧の監視を行うことができる。
【００３２】
仮に、電気柵４１が漏電・地絡・短絡したり断線している場合、あるいは、電源装置４７が所定の高電圧を出力していない場合には、電気柵４１に所定の電圧が印加されない。この場合、蛍光灯１７の発光量が低下したり、発光しない（周期的な点滅発光が行われない）。ユーザーは蛍光灯１７から比較的離れた場所からでも、蛍光灯１７の発光状態が正常か否かも容易に識別できる。したがって、ユーザーは、蛍光灯１７の発光状態に基づいて電気柵４１の動作電圧が正常であるか否かを一目で判別することができる。
【００３３】
このように、実施例に係る電気柵用動作電圧チェックライト１によれば、電源装置４７が設置されている場所にわざわざ行かなくても電気柵４１を監視することができる。電源装置４７は通常盗難防止のため奥まったところに設置されており、電気柵４１は通常、あぜ部、用水路、側溝などに沿って架設される。このため、電源装置４７や電気柵４１が設置される付近は足元が悪い場所であることが多い。本実施例によれば、このような比較的危険な場所にわざわざ行くことなく、足元のよいところから適宜に電気柵４１の動作電圧を確認することができる。
【００３４】
また、蛍光灯１７は発光面積が大きいので、光が比較的遠くまで達する。よって、蛍光灯１７の周囲の比較的広い範囲内のどこにユーザーがいても、一目で電気柵４１が正常に動作しているか否かを確認することができる。
【００３５】
また、蛍光灯１７は、その他の光源に比べて次のような有利な点がある。すなわち蛍光灯１７は水銀灯に比べて軽量であり、白熱電球より消費電力が小さく、ネオン管等に比べて発光面積が大きい。また、ネオン管は脆いので補強／保護部材を要するが、蛍光灯１７であれば補強等をせずにそのまま屋外に吊り下げても問題ない。また、蛍光灯１７はＬＥＤ等に比べて高電圧を印加できるので、高電圧が印加される電気柵４１の動作電圧を検出することに適している。
【００３６】
また、直列関係にある抵抗器１５、２１を備えることで、抵抗器が単一の場合に比べて一の抵抗器にかかる電位差を略半分程度に低減することができる。よって、抵抗器１５、２１の破損を防止することができる。
【００３７】
また、第１、第２ミノムシクリップ１１、２５およびフック３３を備えることにより、極めて容易に電気柵用動作電圧チェックライト１を設置することができる。また、電気柵４１に高電圧が印加されていない状態で、第１ミノムシクリップ１１を電気柵４１に取り付けるので、感電するおそれがない。よって、年齢層等に関係なく如何なるユーザーであっても、電気柵用動作電圧チェックライト１を簡単に扱うことができる。また、接地側を第２ミノムシクリップ２５とすることで、最寄に存在する接地電位点に接続することができる。すなわち、アスファルト舗装されていて直接大地に接地できない場所に電気柵用動作電圧チェックライト１を取り付ける場合であっても、容易に蛍光灯１７を接地することが可能である。
【００３８】
また、抵抗器１５、２１を収容する筒体２７、２８の端口を密閉することで抵抗器１５、２１の周囲に水や湿気が浸入することがないので、抵抗器１５、２１が破損することを防止することができる。
【００３９】
また、電気柵用動作電圧チェックライト１は簡易な構成で実現されているので、安価に製造することができる。
【００４０】
この発明は、上記実施形態に限られることはなく、下記のように変形実施することができる。
【００４１】
（１）上述した各実施例では、蛍光灯１７は直管型であったが、適宜の形状の蛍光灯に変更してもよい。
【００４２】
（２）上述した各実施例では、抵抗器１５、２１は蛍光灯１７の両側にそれぞれ配置されていたが、一方側のみに抵抗器を配置してもよい。また、抵抗器の数も２個に限られず、１個でも３個以上でもよい。
【００４３】
（３）上述した各実施例では、蛍光灯１７を略水平に支持していたが、これに限られない。例えば、略垂直に支持してもよい。
【００４４】
（４）上述した実施例では、支柱４３自体の電位が略接地電位でとなる金属製の支柱４３であったが、支柱４３の材質がグラスファイバなどのような絶縁物の場合であってもよい。この場合は、支柱４３以外で、最寄の接地電位点に第２ミノムシクリップ２５を適宜に接触させることで、蛍光灯１７を接地することができる。
【図面の簡単な説明】
【００４５】
【図１】実施例に係る電気柵用動作電圧チェックライトの構成を示す図である。
【図２】電気柵用動作電圧チェックライトの使用状態を示す図である。
【図３】電気柵用動作電圧チェックライトの点灯回路図である。
【符号の説明】
【００４６】
１  …電気柵用動作電圧チェックライト
１１  …第１ミノムシクリップ
１５、２１  …抵抗器
１７  …蛍光灯
１８、１９  …端子
２５  …第２ミノムシクリップ
２７、２８  …筒体
２９、３０  …防水ゴムカバー
３１、３２  …リード線保護ゴム
３３  …フック
【図１】
2009014583.tif 000003
【図２】
2009014583.tif 000004
【図３】
2009014583.tif 000005